(57)【特許請求の範囲】
【請求項１】
ブロー成形により、定形の外殻を形成する合成樹脂製の外層（３）と、該外層（３）に剥離自在に積層され、内袋を形成する可撓性合成樹脂製の内層（４）とで構成し、かつ、胴部上端に起立連設された円筒状の口部（６）の上端面に、前記内層（４）の上端部分（１０）を積層させた壜本体（２）と、前記口部（６）に密嵌入する筒壁（１２）の外周面上端部に、前記外層（３）の口部部分（７）上端面との間で前記内層（４）の上端部分（１０）を挟持固定する外フランジ（１３）を周設すると共に、該筒壁（１２）の下端部内に交叉板（１４）を架設した中栓体（１１）と、該中栓体（１１）の筒壁（１２）上端面に、剥離可能に接着した密閉用のシール片（１５）と、注出口（３１）と通気路（３４）を有して前記口部（６）に組付くキャップ本体（２１）にシール体（３５）と、前記通気路（３４）を開閉する吸気弁（４３）とを内装し、前記注出口（３１）を開閉する上キャップ（４４）を設け、前記口部（６）に組付く注出キャップ（２０）と、から成り、前記シール体（３５）は、前記キャップ本体（２１）の注出弁（３２）により開閉される開口部（３６）を中央に開設し、下面に前記中栓体（１１）の筒壁（１２）の上端面に密接可能なシール突条（３９）を周設して構成した壜体。
【請求項２】
中栓体(11)の交叉板(14)の下部を、壜本体(2)内の底部付近まで延設して構成した請求項１記載の壜体。
【請求項３】
シール片(15)として、ガスバリヤー性の高いシールを使用した請求項１または２記載の壜体。
【発明の詳細な説明】
【０００１】
【発明の属する技術分野】
本発明は、定形の外殻を形成する外層内に、変形自在な内袋を形成する内層を剥離自在に積層形成し、食品等の内容液収納部に外気を侵入させることなく、内容液の注出使用を可能とした合成樹脂製ブロー成形壜体に関するものである。
【０００２】
【従来の技術】
定形の外殻を形成する外層内に、変形自在な内袋を形成する内層を剥離自在に積層して構成し、この内層内に嫌気性内容液を収納する合成樹脂製ブロー成形壜体が知られている。
【０００３】
この壜体では、通常、外層の口部上端面に内層の上端部分を重ね、口部に螺合組付けされるポンプ付きキャップ内に装着したパッキンと、外層の口部上端面とによって、この内層上端部分を挟持することにより、外層に対して内層上端部を固定している。
【０００４】
ところで、このような壜体を食品用容器として使用する場合には、壜体に内容液を充填した後、口部上端面に高周波シール等によりシール片の周縁を接着させて、口部を密封することが必要となる。
【０００５】
【発明が解決しようとする課題】
しかしながら、上記した壜体にあっては、口部上端面に内層の上端部分が積層されて位置しているため、シール片をこの内層上端部分に接着して口部を密封すると、開封時にこのシール片を口部から剥離除去する場合に、シール片と一緒に内層上端部分が外層の口部上端面から離脱してしまうので、外層に対する内層上端部の積層状態が損なわれ易いと共に、シール片の剥離除去を円滑に行なうことができない、と云う問題があった。
【０００６】
また、内容液の注出使用に応じて減容化（潰れ）変形した内層の一部が口部内に侵入して内容液の通路を塞ぐことにより、内容液の注出を円滑に行なうことができなくなる場合がある、と云う問題があった。
【０００７】
そこで、本発明は、上記した従来技術における問題点を解消すべく創案されたもので、口部上端面に積層された内層上端部分へのシール片の取付けを避けると共に、減容化変形した内層の、口部内への侵入を防止することを技術的課題とし、もってシール片の開封および内容液の注出を、円滑にかつ確実に達成できるようにすることを目的とする。
【０００８】
【課題を解決するための手段】
上記技術的課題を解決する本発明の内、請求項１記載の発明の手段は、
ブロー成形により、定形の外殻を形成する合成樹脂製の外層と、この外層に剥離自在に積層され、内袋を形成する可撓性合成樹脂製の内層とで構成し、かつ、胴部上端に起立連設された円筒状の口部の上端面に、内層の上端部分を積層させた壜本体を有すること、
壜本体の口部に密嵌入する筒壁の外周面上端部に、外層の口部部分上端面との間で内層の上端部分を挟持固定する外フランジを周設すると共に、この筒壁の下端部内に交叉板を架設して構成した中栓体を有すること、
この中栓体の筒壁上端面に、剥離可能に接着した密閉用のシール片を有すること、
注出口と通気路を有して壜本体の口部に組付くキャップ本体にシール体と、通気路を開閉する吸気弁とを内装し、注出口を開閉する上キャップを設け、口部に組付く注出キャップを有すること、
シール体は、キャップ本体の注出弁により開閉される開口部を中央に開設し、下面に中栓体の筒壁の上端面に密接可能なシール突条を周設して構成すること、
にある。
【０００９】
内容液充填後の密封は、２層構造の壜本体とは別体の、中栓体の筒壁上端面に、高周波シール等により、シール片の下面周縁部を剥離可能に接着させることにより行なう。
【００１０】
開封は、この中栓体の筒壁上端面からシール片を剥離除去することにより行なうので、開封を円滑にかつ確実に達成できると共に、壜本体の口部における内層上端部の積層状態に悪影響を及ぼす恐れは全く無い。そして、開封後は、注出キャップの作用により内容液収納部に外気を侵入させることなく、内容液を注出使用する。
【００１１】
中栓体の筒壁の下端部内に交叉板が架設してあるので、内容液の注出使用により減容化変形した内層の一部が筒壁内、すなわち口部内に侵入することを防止でき、もって内容液の通路が常に確保される。
【００１２】
請求項２記載の発明は、請求項１記載の発明の構成に、中栓体の交叉板の下部を、壜本体内の底部付近まで延設したこと、を加えたものである。
【００１３】
この請求項２記載の発明にあっては、内容液の注出使用により内層が偏平に潰れ変形しても、交叉板の周囲に内容液の通路が確保されるので、内容液の最後までの注出を、円滑にかつ確実に達成することができる。
【００１４】
請求項３記載の発明は、請求項１記載の発明の構成に、シール片として、ガスバリヤー性の高いシールを使用した、ことを加えたものである。
【００１５】
この請求項３記載の発明にあっては、シール片を透しての酸素の侵入とか、内容液に含有されている揮発成分の飛散等の発生を阻止することができ、これにより内容液の優れた密閉保持作用を発揮する．
【００１６】
【発明の実施の形態】
以下、本発明の実施例を、図面を参照しながら説明する。
図１〜図４は第一実施例を示したもので、壜体１は、定形の外殻を形成し、かつスクイズ性を有するポリエチレン製の外層３と、高いガスバリアー性を発揮すべく、ナイロンを主体とした積層構造をして、変形自在な内袋を形成する内層４と、接着性樹脂製の一対の接着帯５（図４参照）とを、共押出し成形手段により積層円筒状に押出し成形したパリソンからブロー成形された壜本体２と、この壜本体２の口部６内に密に嵌着される中栓体１１と、から構成されている。
【００１７】
壜本体２の口部６を構成する外層３の口部部分７には、注出キャップ２０を螺合組付けするための螺条８が外周面に刻設されていると共に、その下方の接着帯５を避けた位置に、外層３と内層４との間に外気を侵入させるための吸気口９が開設してあり、また、段状に形成された上端面には、内層４の上端部分１０が積層されている。
【００１８】
外層３と内層４との一部を接着固定する一対の接着帯５は、壜本体２の対称位置に、全高さ範囲に亘って比較的幅広に形成されており、これにより内層４の減容化変形を、偏平に潰れる略一定した形態で進行させることができると共に、各接着帯５の内方に内容液の通路１６が確保される（図４参照）。
【００１９】
中栓体１１は、口部６に密嵌入する筒壁１２の外周面上端部に、下面が口部６の上端面に当接して、内層４の上端部分１０を外層３の上端面との間に挟持固定する外フランジ１３を周設すると共に、筒壁１２の下端部内に、その下部分を下方に突出させて、十字形の交叉板１４（図３参照）を架設して構成されている。
【００２０】
また、筒壁１２の上端面には、内容液充填後、アルミ箔を主体とする円形のシール片１５の下面周縁部を、高周波シール等により剥離可能に接着して、壜体１を密封する。
【００２１】
注出キャップ２０は、注出口３１を有し壜本体２の口部６に組付くキャップ本体２１と、このキャップ本体２１に内装されたシール体３５と、注出口３１を開閉する上キャップ４４と、から構成されている。
【００２２】
キャップ本体２１は、外層３の口部部分７の螺条８に螺合する螺条２３を内周面に刻設し、かつ外層３に密接するシール条２４を内周面下端部に突周設した組付き筒２２の上端内方に、頂壁２５を介して、外周面に螺条２７を刻設した螺筒２６を立設すると共に、この螺筒２６の内方に、複数の通気口２９を開設した上端のフランジ壁２８を介して注出筒３０を連設し、この注出筒３０の内方に注出口３１を、外方の螺筒２６との間に通気路３４を、それぞれ形成している。
【００２３】
この注出筒３０の外周面下端部は、段部を介して縮径し、また、下端部内には、連結部３３を介して注出弁３２が配設されている。
【００２４】
この注出弁３２により開閉される開口部３６を中央に開設したシール体３５は、注出筒３０の下端部が嵌合する係合溝３７を上面に周設すると共に、その外方に内筒片３８を立設し、下面には、中栓体１１の筒壁１２の上端面に密接するシール突条３９を周設すると共に、その外方に筒壁１２の上端部に外嵌する嵌合筒片４０を垂下設し、さらに周縁には、組付き筒２２と頂壁２５の各内面に密接し、かつ複数の通気孔４２が開設された外筒片４１を連設して構成されている。
【００２５】
また、シール体３５の上方には、基端部を内筒片３８の上端面と注出筒３０の段部とにより挟持固定され、先端部上面が頂壁２５の下面に密接して通気路３４を開閉するリング状の吸気弁４３が配設されている。
【００２６】
上キャップ４４は、周壁の内周面に、キャップ本体２１の螺条２７に螺合する螺条４５を刻設すると共に、頂壁の下面に、注出筒３０の上端部に密嵌入する栓筒片４６と、密外嵌するシール筒片４７とを、それぞれ垂下設して構成されている。
【００２７】
この注出キャップ２０の作用を説明すると、内容液の注出に際し、上キャップ４４を取外して壜体１を傾け、その胴部を押圧すると、内容液の液圧により注出弁３２が開いて注出口３１から内容液が注出され、次いで胴部の押圧を解放すると、スクイズ性の外層３が原形に復帰しようとするため、この外層３と、減容化変形した内層４との間に負圧が発生する。
【００２８】
この負圧により吸気弁４３が開くため、外気が、通気口２９からキャップ本体２１内の通気路３４に侵入し、吸気弁４３そしてシール体３５の通気孔４２を通り、さらに組付き筒２２の螺条２３と口部６の螺条８との間を通って、吸気口９から外層３と内層４との間に侵入するため、外層３の原形への復帰が円滑にかつ迅速に達成される。
【００２９】
なお、注出キャップ２０として、従来のポンプ付きキャップを使用すると共に、本体２の外層３を、非スクイズ性の硬質のものとして構成してもよい。
【００３０】
図５、図６に示した第二実施例は、中栓体１１の交叉板１４の下部を、壜本体２内の底部付近まで延設して構成したもので、これにより、内層４が偏平に潰れ変形しても、交叉板１４の周囲に内容液の通路１６が確保されるので、内層４の萎み変形形態に影響されることなく、壜体１の中央に、壜体１の全高さ範囲に亘って、内容液の良好な吸い上げ通路を、確実に形成することができる（図６参照）。
【００３１】
【発明の効果】
本発明は、上記した構成となっているので、以下に示す効果を奏する。
内容液充填後の密封は、２層構造の壜本体とは別体の、中栓体の筒壁上端面にシール片を接着させることにより行ない、開封は、この中栓体の筒壁上端面からシール片を剥離除去することにより行なうので、開封を円滑にかつ確実に達成できると共に、壜本体の口部における内層上端部の積層状態に悪影響を及ぼす恐れも全く無く、もってこの種の２層構造の壜体を食品用容器として好適に使用することができる。
【００３２】
中栓体の筒壁の下端部内に交叉板が架設してあるので、内容液の注出使用により減容化変形した内層の一部が筒壁内、すなわち口部内に侵入することを防止でき、もって内容液の通路が常に確保され、注出を円滑にかつ確実に達成することができる。
【図面の簡単な説明】
【図１】本発明の一実施例を示す、要部を半断面で示した全体正面図。
【図２】図１に示した実施例の、要部拡大半縦断面図。
【図３】図１に示した実施例における、中栓体の平面図。
【図４】図１中、Ａ−Ａ線断面図。
【図５】第二実施例を示す、要部を半断面で示した全体正面図。
【図６】図５中、Ｂ−Ｂ線断面図。
【符号の説明】
１    ；  壜体
２    ；  壜本体
３    ；  外層
４    ；  内層
５    ；  接着帯
６    ；  口部
７    ；  口部部分
８    ；  螺条
９    ；  吸気口
１０  ；  上端部分
１１  ；  中栓体
１２  ；  筒壁
１３  ；  外フランジ
１４  ；  交叉板
１５  ；  シール片
１６  ；  通路
２０  ；  注出キャップ
２１  ；  キャップ本体
２２  ；  組付き筒
２３  ；  螺条
２４  ；  シール条
２５  ；  頂壁
２６  ；  螺筒
２７  ；  螺条
２８  ；  フランジ壁
２９  ；  通気口
３０  ；  注出筒
３１  ；  注出口
３２  ；  注出弁
３３  ；  連結部
３４  ；  通気路
３５  ；  シール体
３６  ；  開口部
３７  ；  係合溝
３８  ；  内筒片
３９  ；  シール突条
４０  ；  嵌合筒片
４１  ；  外筒片
４２  ；  通気孔
４３  ；  吸気弁
４４  ；  上キャップ
４５  ：  螺条
４６  ；  栓筒片
４７  ；  シール筒片
【図１】
0004465919.tif 000002
【図２】
0004465919.tif 000003
【図３】
0004465919.tif 000004
【図４】
0004465919.tif 000005
【図５】
0004465919.tif 000006
【図６】
0004465919.tif 000007